(57)【要約】      （修正有）【課題】調節可能な頸部牽引アセンブリを含む人体支持装置を提供する。【解決手段】患者支持装置と併用するための頸部牽引アセンブリが、患者支持装置のマウント支持部材に着脱自在に接続する接続用ブラケットアセンブリを含む調整キャリッジトラック部材を含む。調整トラック部材は、互いに離れて配置されてその間に細長い溝を含む一対の互いに対向する側壁を含むトラック本体を含む。各側壁は、その長さ方向に延びるガイドトラックを含む。ロープ角調節用キャリッジが、溝内に配置される。ロープ角調節用キャリッジは、側壁のうちの片方のガイドトラックに収容される第１のトラック係合部材と、側壁のうち他方のガイドトラックの第２のトラック係合部材と、を含む。第１のトラック係合部材は、ロープ角調節用キャリッジが溝に沿って移動するのを阻止するロック配置と、ロープ角調節用キャリッジが溝に沿って移動できるようにするロック解除配置と、をとる。【選択図】なし【特許請求の範囲】
【請求項１】
患者支持装置と併用するための頸部牽引アセンブリであって、
接続用ブラケットアセンブリとトラック本体とを含む調整キャリッジトラック部材と、
第１のトラック係合部材と第２のトラック係合部材とを含むロープ角調節用キャリッジと、
を備え、
前記接続用ブラケットアセンブリは、前記患者支持装置のマウント支持部材に着脱自在に接続し、
前記トラック本体は、一対の互いに対向する側壁を有し、
各側壁は、その長さ方向に延びるガイドトラックを有し、
前記側壁は互いに離れて配置されてその間に細長い溝が画定され、
前記ロープ角調節用キャリッジは、前記溝内に配置され、
前記第１のトラック係合部材は、前記側壁のうち片方の前記ガイドトラックに収容され、
前記第２のトラック係合部材は、前記側壁のうち他方の前記ガイドトラックに収容され、
前記第１のトラック係合部材は、
前記ロープ角調節用キャリッジが前記溝に沿って移動するのを阻止するロック配置と、
前記ロープ角調節用キャリッジが前記溝に沿って移動できるようにするロック解除配置と、をとる、
頸部牽引アセンブリ。
【請求項２】
前記ガイドトラックのうちの一方は、第１の側と、前記第１の側に対向する第２の側とを有する第１のガイドトラックであり、前記第２の側は、前記第１のガイドトラックに幅が狭い領域と幅が広い領域を作る波形状の峰と谷を有する、請求項１に記載の頸部牽引アセンブリ。
【請求項３】
前記第１のトラック係合部材は、
本体と、
前記本体の幅を延ばす係合用突出部と、を備え、
前記第１のトラック係合部材は、ロック配置とロック解除配置との間で移動可能であり、前記ロック配置では、前記係合用突出部が、前記第１のガイドトラックの前記谷のうちの１つに収容されて、前記第１のトラック係合部材が前記第１のガイドトラックに沿って移動するのを防止し、前記ロック解除配置では、前記係合用突出部が、前記第１のガイドトラックの前記谷のうちの１つから外れて、前記第１のトラック係合部材が前記第１のガイドトラックに沿って移動できるようにする、請求項２に記載の頸部牽引アセンブリ。
【請求項４】
前記片方のガイドトラックは、第１の側と、前記第２のガイドトラックの前記第１の側に対向する第２の側とを有する第２のガイドトラックであり、前記第２のガイドトラックの前記第２の側は、前記第２のガイドトラックに幅が狭い領域と幅が広い領域を作る波形状の峰と谷を有する、請求項３に記載の頸部牽引アセンブリ。
【請求項５】
前記第２のトラック係合部材は、
本体と、
前記本体の幅を延ばす係合用突出部と、を備え、
前記第２のトラック係合部材は、ロック配置とロック解除配置との間で移動可能であり、前記ロック配置では、前記第２のトラック係合部材の前記係合用突出部が、前記第２のガイドトラックの前記谷のうちの１つに収容されて、前記第２のトラック係合部材が前記第２のガイドトラックに沿って移動するのを防止し、前記ロック解除配置では、前記第２のトラック係合部材の前記係合用突出部が、前記第２のガイドトラックの前記谷のうちの１つから外れて、前記第２のトラック係合部材が前記第２のガイドトラックに沿って移動できるようにする、請求項４に記載の頸部牽引アセンブリ。
【請求項６】
前記第１のトラック係合部材および前記第２のトラック係合部材は、それぞれがロック解除配置になるまで押し込むことが可能である、請求項５に記載の頸部牽引アセンブリ。
【請求項７】
前記第１のトラック係合部材の前記本体は、前記ロック配置にあるときに前記第１のガイドトラックの縁を前記第１のトラック係合部材と係合させる窪んだ領域を含む、請求項３に記載の頸部牽引アセンブリ。
【請求項８】
前記ロープ角調節用キャリッジは、ロープが通る開口部を有する、請求項１に記載の頸部牽引アセンブリ。
【請求項９】
前側支柱アセンブリと頸部牽引アセンブリとを備える人体支持装置であって、
前記前側支柱アセンブリは、前側マウントアセンブリを前記支柱アセンブリに接続された状態で含み、前記前側マウントアセンブリは、前記前側支柱アセンブリに接続されたマウント支持部材を含み、
頸部牽引アセンブリは、
前記マウント支持部材に取り付けられ、接続用ブラケットアセンブリとトラック本体とを含む調整キャリッジトラック部材と、
第１のトラック係合部材と第２のトラック係合部材とを含むロープ角調節用キャリッジと、
を備え、
前記接続用ブラケットアセンブリは、前記患者支持装置のマウント支持部材に着脱自在に接続し、
前記トラック本体は、一対の互いに対向する側壁を有し、
各側壁は、その長さ方向に延びるガイドトラックを有し、
前記側壁は互いに離れて配置されてその間に細長い溝が画定され、
前記ロープ角調節用キャリッジは、前記溝内に配置され、
前記第１のトラック係合部材は、前記側壁のうち片方の前記ガイドトラックに収容され、
前記第２のトラック係合部材は、前記側壁のうち他方の前記ガイドトラックに収容され、
前記第１のトラック係合部材は、
前記ロープ角調節用キャリッジが前記溝に沿って移動するのを阻止するロック配置と、
前記ロープ角調節用キャリッジが前記溝に沿って移動できるようにするロック解除配置と、をとる、
人体支持装置。
【請求項１０】
前記ガイドトラックのうちの一方は、第１の側と、前記第１の側に対向する第２の側とを有する第１のガイドトラックであり、前記第２の側は、前記第１のガイドトラックに幅が狭い領域と幅が広い領域を作る波形状の峰と谷を有する、請求項９に記載の人体支持装置。
【請求項１１】
前記第１のトラック係合部材は、
本体と、
前記本体の幅を延ばす係合用突出部と、を備え、
前記第１のトラック係合部材は、ロック配置とロック解除配置との間で移動可能であり、前記ロック配置では、前記係合用突出部が、前記第１のガイドトラックの前記谷のうちの１つに収容されて、前記第１のトラック係合部材が前記第１のガイドトラックに沿って移動するのを防止し、前記ロック解除配置では、前記係合用突出部が、前記第１のガイドトラックの前記谷のうちの１つから外れて、前記第１のトラック係合部材が前記第１のガイドトラックに沿って移動できるようにする、請求項１０に記載の人体支持装置。
【請求項１２】
前記片方のガイドトラックは、第１の側と、前記第２のガイドトラックの前記第１の側に対向する第２の側とを有する第２のガイドトラックであり、前記第２のガイドトラックの前記第２の側は、前記第２のガイドトラックに幅が狭い領域と幅が広い領域を作る波形状の峰と谷を有する、請求項１１に記載の人体支持装置。
【請求項１３】
前記第２のトラック係合部材は、
本体と、
前記本体の幅を延ばす係合用突出部と、を備え、
前記第２のトラック係合部材は、ロック配置とロック解除配置との間で移動可能であり、前記ロック配置では、前記第２のトラック係合部材の前記係合用突出部が、前記第２のガイドトラックの前記谷のうちの１つに収容されて、前記第２のトラック係合部材が前記第２のガイドトラックに沿って移動するのを防止し、前記ロック解除配置では、前記第２のトラック係合部材の前記係合用突出部が、前記第２のガイドトラックの前記谷のうちの１つから外れて、前記第２のトラック係合部材が前記第２のガイドトラックに沿って移動できるようにする、請求項１２に記載の人体支持装置。
【請求項１４】
前記第１のトラック係合部材および前記第２のトラック係合部材は、それぞれがロック解除配置になるまで押し込むことが可能である、請求項１３に記載の人体支持装置。
【請求項１５】
前記第１のトラック係合部材の前記本体は、前記ロック配置にあるときに前記第１のガイドトラックの縁を前記第１のトラック係合部材と係合させる窪んだ領域を含む、請求項１１に記載の人体支持装置。
【請求項１６】
前記ロープ角調節用キャリッジは、ロープが通る開口部を有する、請求項９に記載の人体支持装置。
【請求項１７】
前記マウント支持部材は、ロープが通る開口部を有する、請求項１６に記載の人体支持装置。
【請求項１８】
前記調整キャリッジトラック部材は、前記マウント支持部材の前記ロープが通る開口部の上下に垂直に延び、前記ロープ角調節用キャリッジは、前記マウント支持部材の前記ロープが通る開口部の上下の位置まで調節可能である、請求項１７に記載の人体支持装置。
【請求項１９】
前記マウント支持部材の互いに対向する側面に装着された一対のマウントアームを含む取り付け用ブラケットをさらに備える、請求項９に記載の人体支持装置。
【請求項２０】
前記調節可能な頸部牽引アセンブリは、前記取り付け用ブラケットの前記一対のマウントアームの間の位置で前記マウント支持部材に取り付けられている、請求項１９に記載の人体支持装置。
【発明の詳細な説明】
【技術分野】
【０００１】
本明細書は主に人体支持装置に関し、特に、調節可能な頸部牽引アセンブリを含む人体支持装置に関する。
【背景技術】
【０００２】
人間の首の頸部領域に張力を加えて痛みを緩和するために、頸部牽引アセンブリが使用されることがある。頸部牽引アセンブリは、水平（横臥）または垂直（立位または座位）のいずれかの向きの人間と一緒に使用することができる。場合によっては、異なる角度で張力を加えると望ましいことがある。この張力の方向を変更できるように、頸部牽引アセンブリを調節できることもある。しかしながら、そのような頸部牽引アセンブリでの調節には限界があり、角度を変えるのに時間がかかることもある。
【発明の概要】
【発明が解決しようとする課題】
【０００３】
このため、調節可能な頸部牽引アセンブリを含む人体支持装置には需要がある。
【課題を解決するための手段】
【０００４】
一実施形態において、患者支持装置と併用するための頸部牽引アセンブリが、患者支持装置のマウント支持部材に着脱自在に接続する接続用ブラケットアセンブリを含む調整キャリッジトラック部材を含む。調整トラック部材は、互いに離れて配置されてその間に細長い溝が画定された一対の互いに対向する側壁を含むトラック本体を含む。各側壁は、その長さ方向に延びるガイドトラックを含む。ロープ角調節用キャリッジが、溝内に配置される。ロープ角調節用キャリッジは、側壁のうちの片方のガイドトラックに収容される第１のトラック係合部材と、側壁のうち他方のガイドトラックに収容される第２のトラック係合部材と、を含む。第１のトラック係合部材は、ロープ角調節用キャリッジが溝に沿って移動するのを阻止するロック配置と、ロープ角調節用キャリッジが溝に沿って移動できるようにするロック解除配置と、をとる。
【０００５】
別の実施形態では、人体支持装置が、これに接続された前側マウントアセンブリを含む前側支柱アセンブリを含む。前側マウントアセンブリは、前側支柱アセンブリに接続されたマウント支持部材を含む。頸部牽引アセンブリが、マウント支持部材に取り付けられた調整キャリッジトラック部材を含む。調整トラック部材は、患者支持装置のマウント支持部材に着脱自在に接続する接続用ブラケットアセンブリを含む。調整トラック部材は、互いに離れて配置されてその間に細長い溝が画定された一対の互いに対向する側壁を含むトラック本体を含む。各側壁は、その長さ方向に延びるガイドトラックを含む。ロープ角調節用キャリッジが、溝内に配置される。ロープ角調節用キャリッジは、側壁のうちの片方のガイドトラックに収容される第１のトラック係合部材と、側壁のうち他方のガイドトラックに収容される第２のトラック係合部材と、を含む。第１のトラック係合部材は、ロープ角調節用キャリッジが溝に沿って移動するのを阻止するロック配置と、ロープ角調節用キャリッジが溝に沿って移動できるようにするロック解除配置と、をとる。
【０００６】
本明細書で述べる実施形態の上記以外の特徴および利点については、以下の詳細な説明に記載され、一部は、以下の詳細な説明、特許請求の範囲および添付の図面を含めて、その説明から当業者に容易に明らかになるか、本明細書に記載の実施形態を実施することによって認識されることになろう。
【０００７】
前述の一般的な説明および以下の詳細な説明では、どちらもさまざまな実施形態を説明し、特許請求の範囲に記載の主題の性質および特徴を理解するための概要または枠組みを提供することを意図していることを、理解されたい。添付の図面は、さまざまな実施形態に対する理解をさらに深めるために含まれているものであり、本明細書に組み込まれ、その一部を構成する。図面は、本明細書に記載のさまざまな実施形態を示し、明細書と共に、特許請求の対象となる主題の原理および動作を説明する役割を果たす。
【図面の簡単な説明】
【０００８】
【図１】図１は、本明細書で図示または説明する１つ以上の実施形態による、人体支持装置の斜視図である。
【図２】図２は、本明細書で図示または説明する１つ以上の実施形態による、図１に示す人体支持装置の制御システムのブロック図である。
【図３】図３は、本明細書で図示または説明する１つ以上の実施形態による、図１に示す人体支持装置の前側マウントアセンブリを示す。
【図４】図４は、本明細書で図示または説明する１つ以上の実施形態による、図１に示す人体支持装置用の調節可能な頸部牽引アセンブリを示す。
【図５】図５は、本明細書で図示または説明する１つ以上の実施形態による、図４に示す調節可能な頸部牽引アセンブリの別の図である。
【図６】図６は、本明細書で図示または説明する１つ以上の実施形態による、図４に示す頸部牽引アセンブリの詳細図である。
【図７】図７は、本明細書で図示または説明する１つ以上の実施形態による、図４に示す頸部牽引アセンブリの一層詳細な図である。
【図８】図８は、本明細書で図示および説明する１つ以上の実施形態による、図４に示す頸部牽引アセンブリを、図１に示す患者支持装置に取り付ける方法を示す図である。
【図９】図９は、本明細書で図示および説明する１つ以上の実施形態による、図４に示す頸部牽引アセンブリを、図１に示す患者支持装置に取り付ける方法を示す図である。
【図１０】図１０は、本明細書で図示および説明する１つ以上の実施形態による、図４に示す頸部牽引アセンブリを、図１に示す患者支持装置に取り付ける方法を示す図である。
【図１１】図１１は、本明細書で図示および説明する１つ以上の実施形態による、図４に示す頸部牽引アセンブリのロープ調節キャリッジの位置を調節する方法を示す図である。
【図１２】図１２は、本明細書で図示および説明する１つ以上の実施形態による、図４に示す頸部牽引アセンブリのロープ調節キャリッジの位置を調節する別の方法を示す図である。
【図１３】図１３は、本明細書で図示および説明する１つ以上の実施形態による、図４に示す頸部牽引アセンブリのロープ調節キャリッジを用いて牽引角度を調節する方法を示す図である。
【図１４】図１４は、本明細書で図示および説明する１つ以上の実施形態による、図４に示す頸部牽引アセンブリのロープ調節キャリッジを用いて牽引角度を調節する別の方法を示す図である。
【発明を実施するための形態】
【０００９】
ここで、調節可能な頸部牽引アセンブリを含む人体支持装置の実施形態を詳細に参照する。この人体支持装置には、通常は脊椎外科用手術架台または標準的な手術室（ＯＲ）用の架台などの手術架台の上面である支持面を含むことができる。たとえば、人体支持装置には、前側支柱アセンブリと後側支柱アセンブリとを含む、支柱が２本ある脊椎外科用手術架台を含むことができる。前側支柱アセンブリはブラケット支持アセンブリを含み、ブラケット支持アセンブリは、前側支柱アセンブリに固定して取り付けられたマウント支持部材を含む。固定されたマウント支持部材には、支持ブラケットが着脱自在に取り付けられてもよい。この支持ブラケットを使用して、支持面を所望の高さと向きで取り付けることができる。支持ブラケットとは異なり、調節可能な頸部牽引アセンブリはマウント支持部材に直接取り付けることもできる。調節可能な頸部牽引アセンブリがこのような取り付け方式であることから、前側支柱アセンブリに対する調節可能な頸部牽引アセンブリの取り付けを単純化して、さまざまな引っ張り角で多岐にわたる外科手術牽引手技をしやすくすることができる。
【００１０】
本明細書で使用する場合、「長手方向」という用語は、人体支持装置の前後方向（すなわち、図示の＋／−Ｘ方向）を示す。「幅方向」という用語は、人体支持装置の横断方向（すなわち、図示の＋／−Ｙ方向）を示し、長手方向と交差する方向である。「垂直方向」という用語は、人体支持装置の上下方向（すなわち、図示の＋／−Ｚ方向）を示し、幅方向および長手方向と交差する方向である。「ヘッドエンド」および「フットエンド」という用語は、長手方向にみた人体支持装置のコンポーネントの相対的な位置関係をいう。
【００１１】
図１を参照すると、人体支持装置１００は、たとえば、支柱が２本ある手術架台であってもよい。人体支持装置１００は、ベースフレーム１０２と、ベースフレーム１０２に支持される主支持フレーム１０４とを含む。主支持フレーム１０４には、長手方向のフレーム１０８を含む患者支持アセンブリ１０６を着脱自在に連結することができる。
【００１２】
人体支持装置１００のベースフレーム１０２は、人体支持装置１００のヘッドエンドに位置する前部１１０と、人体支持装置１００のフットエンドに位置する後部１１２とを含むことができる。前部１１０と後部１１２との間に長手方向の間隔をとることができ、前部１１０と後部１１２とを、その間に延在する中央部１１４で互いに連結することができる。中央部１１４を長手方向に伸ばすおよび／または縮めることによって、前部１１０と後部１１２との間の距離を長手方向に増減することができる。中央部１１４は、たとえば、前部１１０と後部１１２との間に電力や電気信号を送るために電気コネクタ（ワイヤなど）が内部に通った入れ子式の管であってもよい。いくつかの実施形態では、人体支持装置１００を床などの表面に沿って移動することができるように、前部１１０および後部１１２が複数のローラ１１８に連結されている。
【００１３】
主支持フレーム１０４は、ベースフレーム１０２から上方に延びている。図１に示す実施形態では、この主支持フレーム１０４には、ベースフレーム１０２の前部１１０から垂直方向に延びる前側支柱アセンブリ１２０が含まれる。また、主支持フレーム１０４には、ベースフレーム１０２の後部１１２から垂直方向に延びる後側支柱アセンブリ１２２も含まれる。前側支柱アセンブリ１２０が人体支持装置１００のヘッドエンドに、後側支柱アセンブリ１２２が人体支持装置１００のフットエンドに位置し、前側支柱アセンブリ１２０は、後側支柱アセンブリ１２２から長手方向に離れている。
【００１４】
前側支柱アセンブリ１２０と後側支柱アセンブリ１２２によって患者支持アセンブリ１０６を上昇または下降させることができ、これを使って患者の位置を直したり位置を変えたりすることができるように、前側支柱アセンブリ１２０および後側支柱アセンブリ１２２を垂直方向に調節可能であってもよい。実施形態では、少なくとも１つの支柱アセンブリアクチュエータ１３０が、前側支柱アセンブリ１２０および／または後側支柱アセンブリ１２２に連結され、前側支柱アセンブリ１２０と後側支柱アセンブリ１２２をベースフレーム１０２に対して垂直方向上下に動かすことができる。支柱アクチュエータ１３０は、電動モータ類などの電動アクチュエータであってもよいし、フットペダル、クランク等によって手動で動力を得るものであってもよい。支柱アクチュエータ１３０は、ねじ、車輪、車軸、カム、油圧アクチュエータ、空気圧アクチュエータ、圧電アクチュエータ、電気機械アクチュエータなどのリニアアクチュエータを含んでもよい。
【００１５】
図２を参照すると、支柱アクチュエータ１３０が電気モータを含む実施形態では、支柱アクチュエータ１３０は、電子コントローラ１９８と通信可能に接続されていてもよい。電子コントローラ１９８は、プロセッサと、コンピュータによる読み取りと実行が可能な命令を記憶するメモリとを含み、これらの命令がプロセッサによって実行されると、支柱アクチュエータ１３０を操作しやすくなる。具体的には、電子コントローラ１９８は、少なくとも１つの支柱アクチュエータ１３０に信号を送信し、前側支柱アセンブリ１２０および／または後側支柱アセンブリ１２２を垂直方向に上昇または下降させることができる。電子コントローラ１９８には、ユーザ入力１９６が通信可能に接続されている。ユーザ入力１９６は、人体支持装置１００の操作をしやすくするために、ユーザが電子コントローラ１９８にさまざまなパラメータを入力できるようにする装置を含んでもよい。たとえば、医療機関の専門家がユーザ入力１９６を利用して、電子コントローラ１９８に信号を送信し、少なくとも１つのアクチュエータ１３０に、前側支柱アセンブリ１２０および／または後側支柱アセンブリ１２２を垂直方向に上昇または下降させるように命令することができる。実施形態では、ユーザ入力１９６は、グラフィカルユーザインターフェース（ＧＵＩ）、キーボード、ペンダントなどを挙げることができるがこれらに限定されるものではない、さまざまなユーザ入力デバイスを含んでもよい。
【００１６】
ここで再び図１を参照すると、患者支持アセンブリ１０６が水平面（すなわち、図示のＸ−Ｙ平面）に対して傾斜し得るように、前側支柱アセンブリ１２０および後側支柱アセンブリ１２２を互いに独立して垂直方向に昇降させることができる。たとえば、患者支持アセンブリ１０６のヘッドエンドを患者支持アセンブリ１０６のフットエンドよりも垂直方向に高くするには、前側支柱アセンブリ１２０を垂直方向に後側支柱アセンブリ１２２よりも上昇させればよい（すなわち逆トレンドレンブルグ体位）。逆に、患者支持アセンブリ１０６のフットエンドを患者支持アセンブリ１０６のヘッドエンドよりも垂直方向に高くするには、後側支柱アセンブリ１２２を前側支柱アセンブリ１２０よりも垂直方向に上昇させればよい（すなわち、トレンドレンブルグ体位）。実施形態では、前側支柱アセンブリ１２０および後側支柱アセンブリ１２２の両方を同時に垂直方向に上昇または下降させることで、患者支持アセンブリ１０６のヘッドエンドとフットエンドの両方を上昇させることができる。
【００１７】
人体支持装置１００上に患者を支持するために、患者支持アセンブリ１０６には、長手方向にみて前側支柱アセンブリ１２０と後側支柱アセンブリ１２２との間に１つ以上のセグメントが配置された支持面１３６を含むことができる。患者支持アセンブリ１０６がＸ線撮影や他の医療用撮像といった患者に対する医療撮像の邪魔になることがないように、支持面１３６は、炭素繊維または他の非金属材料などの放射線透過性材料で形成されてもよい。患者支持アセンブリ１０６には、たとえば、患者の上体および／または頭部および腕を支持する人体支持装置１００のヘッドエンドに配置された頭部セグメント１３８を含むことができる。また、患者支持アセンブリ１０６には、患者の下半身および／または脚を支持する人体支持装置１００のフットエンドに配置された脚部セグメント１４０も含むことができる。さらに、患者支持アセンブリ１０６には、胴体および／または患者の中間部分を支持する長手方向に頭部セグメント１３８と脚部セグメント１４０との間に配置される胴部セグメント１４２を含むこともできる。頭部セグメント１３８、脚部セグメント１４０、胴部セグメント１４２はいずれも単一のコンポーネントであってもよいし、他の実施形態では、頭部セグメント１３８、脚部セグメント１４０、胴部セグメント１４２が、関節動作する１つ以上のコンポーネントであって、それぞれ他のコンポーネントに対して相対移動し、たとえば患者を所望の位置に配置することができるものであってもよい。
【００１８】
患者支持アセンブリ１０６は、前側患者支持デッキ接続装置１５０および後側患者支持デッキ接続装置１５２によって、それぞれ前側支柱アセンブリ１２０および後側支柱アセンブリ１２２に着脱自在に連結されてもよい。一例として、前側患者支持デッキ接続装置１５０は、前側支柱アセンブリ１２０に接続された前側マウントアセンブリ１５４（たとえば、Ｈブラケットを含む）に着脱自在に接続されてもよい。同様に、後側患者支持デッキ接続装置１５２は、後側支柱アセンブリ１２２に接続された後側マウントアセンブリ１５６（たとえば、Ｈブラケットを含む）に着脱自在に接続されてもよい。
【００１９】
前側マウントアセンブリ１５４および後側マウントアセンブリ１５６には、各々前側支柱アセンブリ１２０および後側支柱アセンブリ１２２に取り付けられるマウント支持部材１６０を含むことができる。いくつかの実施形態では、マウント支持部材１６０は、前側支柱アセンブリ１２０および後側支柱アセンブリ１２２に固定されている。本明細書で使用する場合、マウント支持部材１６０に関して「固定され」という用語は、マウント支持部材１６０が、通常の動作条件下で、これに付随する前側支柱アセンブリ１２０および後側支柱アセンブリ１２２から容易に取り外せることを想定していないという意味で用いられる。これは、マウント支持部材１６０によって、取り付け用ブラケット１６２を支持する構造を提供することができるためである。図示の実施形態では、取り付け用ブラケット１６２は、患者支持アセンブリ１０６などのさまざまな構造体を取り付けるための一対のマウントアーム１６４および１６６（図３）を含むＨ−ブラケットである。
【００２０】
図３を参照すると、前側マウントアセンブリ１５４の一層詳細な図が示されている。前側マウントアセンブリ１５４および後側マウントアセンブリ１５６には、同一または類似のコンポーネントを含むことができる。したがって、説明をわかりやすくするために、前側マウントアセンブリ１５４についてのみ詳細に説明する。前側マウントアセンブリ１５４には、前側支柱アセンブリ１２０に固定して取り付けられたマウント支持部材１６０（ボウタイと呼ばれることもある）を含むことができる。マウント支持部材１６０は、マウント構造体１６８および１７０を含む。マウントアーム１６４および１６６がマウント支持部材１６０から垂直方向に懸下されるように、マウント構造体１６８は取り付け用ブラケット１６２のマウントアーム１６４を収容するための対向する端１６７に位置し、マウント構造体１７０は取り付け用ブラケット１６２のマウントアーム１６６を収容するための対向する端１６９に位置する。マウントアーム１６４および１６６には各々、一列に並んだ幅方向を向いた開口部１７３と一列に並んだ長手方向を向いた開口部１７１が設けられている。マウントアーム１６４および１６６の幅方向を向いた開口部１７３は互いにほぼ対向し、たとえば装置を取り付けるために、それぞれ支持ロッド１７２を貫通させることができるように実質的に垂直および水平に整列配置されている。マウントアーム１６４および１６６の長手方向を向いた開口部１７１は、ほぼ長手方向を向いており、同じく垂直および水平に整列配置されている。これにより、別のロッド１７４または他の装置を取り付けることができるようになる。
【００２１】
図４および図５を参照すると、調節可能な頸部牽引アセンブリ２００がマウント支持部材１６０に接続された状態で図示されているが、明確にするために、マウント支持部材１６０を前側支柱アセンブリ１２０から取り外してある。頸部牽引アセンブリ２００は、調整キャリッジトラック部材２０２と、ロープ角調節用キャリッジ２０４とを含む。調整キャリッジトラック部材２０２は、マウント支持部材１６０に着脱自在に接続された接続用ブラケットアセンブリ２０６と、マウント支持部材１６０に接続された接続用ブラケットアセンブリ２０６に対して実質的に垂直の方向を向いているトラック本体２０８と、を含む。図５には、ラッチハウジング２０７に可動的に接続された作動可能なラッチ２０５を含む接続用ブラケットアセンブリ２０６を示す。この作動可能なラッチ２０５を使用して、一対の接続用アーム２０９および２１１を、ラッチ配置と非ラッチ配置との間で移動させることができる。
【００２２】
特に図４を参照すると、トラック本体２０８は、上端部２１０と、上端部２１０に対向する下端部２１２とを有する略Ｕ字形をしている。上端部２１０と下端部２１２との間には、一対の側壁２１４および２１６が設けられている。これらの側壁は互いに離れているため、その間にキャリッジ溝２１８が画定されている。上端部２１０および下端部２１２には、上端部２１０および下端部２１２を少なくとも部分的に閉じるかキャップで塞ぐエンドキャップ２２０および２２２を含むことができる。
【００２３】
側壁２１４にはガイドトラック２２４が、側壁２１６にはガイドトラック２２６が設けられている。ガイドトラック２２４および２２６は、側壁２１４および２１６を通って延びる成形溝として形成されてもよい。詳細については後述するように、ガイドトラック２２４および２２６は、キャリッジ溝２１８の高さに沿ったロープ角調節用キャリッジ２０４の移動を可能にするような形状をしている。
【００２４】
図６に、側壁２１６のガイドトラック２２６をより詳細に示す。ガイドトラック２２６は、実質的に平坦または直線状の第１の側面２３０と、波形状の谷２３４と峰２３６とを有する反対側の第２の側面２３２とを有する。谷２３４のある部分には溝の幅が広い領域ができ、峰２３６がある部分では溝の幅が狭い領域ができる。ロープ角調節用キャリッジ２０４には、ボタンの形をした押し込み可能な一対のトラック係合部材２３８および２４０（図４）を含むことができる。トラック係合部材２３８および２４０は、出っ張った位置にあるときに、ロープ角調節用キャリッジ２０４を、ガイドトラック２２４および２２６に沿った所望の高さでロックすることができる。
【００２５】
図７を参照すると、押し込み可能なトラック係合部材２４０は、本体２４４を含む。本体２４４は、峰２３６によってガイドトラック２２６の幅が狭くなった部分の溝幅Ｗｓを通って摺動できるような幅Ｗｂである。本体２４４には、係合用突出部２４８が設けられ、この部分で本体２４４の幅が広くなっている。トラック係合部材２４０が図示のような出っ張った状態にあると、係合用突出部２４８がガイドトラック２２６の谷２３４の中におさまるため、ガイドトラック２２６内で本体の幅が広くなり、トラック係合部材２４０が峰２３６で溝幅が狭くなった領域を越えて移動するのが防止される。このような配置を使用して、調整キャリッジトラック部材２０２の高さに沿った特定の位置でロープ角調節用キャリッジ２０４をロックすることができる。いくつかの実施形態では、係合用突出部２４８の周囲２４３に、窪んだ領域２４１および２４２が設けられていてもよい。この窪んだ領域２４１および２４２を使用して、峰２３６でガイドトラック２２６の縁２４６を受けることができる。トラック部材２２６の縁２４６が窪んだ領域２４１，２４２のうちの１つと係合すると、窪んだ領域２４１，２４２からガイドトラック２２６の縁２４６を外すためにロープ角調節用キャリッジ２０４をさらに物理的に移動させることなく、トラック係合部材２４０が延びた配置から作動するのを阻止することができる。
【００２６】
再び図４および図５を参照すると、ロープ角調節用キャリッジ２０４を、調整キャリッジトラック部材２０２に沿ったさまざまな高さに調節することができる。いくつかの実施形態では、側壁２１４および２１６に、ばね荷重の加わったボール２１９（図６）を入れることのできるロック位置開口部２１７を含んでもよい。これによって、潜在的なロック位置の各々で可聴の指示を出すことができる。図示の例では、接続用ブラケットアセンブリ２０６は、トラック本体２０８の高さに沿って配置され、ガイドトラック２２４，２２６の下部２５０がマウント支持部材１６０の下に位置し、ガイドトラック２２４，２２６の上部２５２がマウント支持部材１６０の上に配置される。特に、マウント支持部材１６０には、ロープが通る開口部２５４を含むことができ、引っ張り力を加える際にはこの開口部２５４にロープやケーブルなどを通すことができる。ガイドトラック２２４，２２６を、ロープが通る開口部２５４の上下両方に設け、ロープが通る開口部２５４よりも上または下のいずれかで引っ張り角を調節することができる。
【００２７】
図８から図１０を参照すると、調節可能な頸部牽引アセンブリ２００を、接続用ブラケットアセンブリ２０６を使用してマウント支持部材１６０に取り付けてもよい。まず図８を参照すると、マウント支持部材１６０が、前側支柱アセンブリ１２０に取り付けられた状態で示されている。マウントアーム１６４および１６６を含む取り付け用ブラケット１６２は、上述したようなマウント支持部材１６０に取り付けられていても取り付けられていなくてもよい。オペレータが接続用ブラケットアセンブリ２０６を手で把持し、作動可能なラッチ２０５を作動させることができる。作動可能なラッチ２０５を押すと、頸部牽引アセンブリ２００をマウント支持部材１６０に取り付けることができない閉位置から、頸部トラックアセンブリをマウント支持部材１６０に接続可能にする開位置まで、接続用アーム２０９および２１１を移動させることができる。
【００２８】
図９を参照すると、取り付けブラケット１６２を開いた状態で、この取り付け用ブラケット１６２をマウント支持部材１６０の上縁２６０の上に配置することができる。図５に一層はっきりと示されるように、接続用アーム２０９および２１１を幅方向に離しておき、マウント支持部材１６０の取り付け用ロッド２６４を受けることができる溝２６２を作ることができる。このような配置にすることで、取り付け用ブラケット１６２を、取り付け用ロッド２６４が配置されている垂直方向の中心線まで案内することができる。また、このようにすることで、ロープ角調節用キャリッジ２０４を、マウント支持部材１６０のロープが通る開口部２５４と幅方向に整列配置することもできる。図１０を参照すると、取り付け用ブラケット１６２の四角形の縁２６６が、取り付け用ブラケット１６２の上縁２６０および前面２６８と係合し、頸部牽引アセンブリ２００を直立した垂直の向きに配置することができる。
【００２９】
図８から図１０に見られるように、ケーブルまたはロープ２７０を、マウント支持部材１６０のロープが通る開口部２５４に通してもよい。頸部牽引アセンブリ２００をマウント支持部材１６０に取り付ける間または取り付けた後ですら、ロープ２７０を、ロープ角調節用キャリッジ２０４の別のロープが通る開口部２７２に通すことができる。
【００３０】
図１１を参照すると、トラック係合部材２３８および２４０を押すことで、ロープ角調節用キャリッジ２０４の垂直位置を調節してもよい。いくつかの実施形態では、ロープ角調節用キャリッジ２０４を垂直方向に調節するには、トラック係合部材２３８および２４０の両方を押し下げなければならない。図７を参照して上述したように、トラック係合部材２３８および２４０を押すことによって、係合用突出部２４８が移動してそれぞれのガイドトラック２２４および２２６と整列配置された状態から外れるため、トラック係合部材２３８および２４０がガイドトラック２２４および２２６内で移動することができる。図１１は、上昇位置にあるロープ角調節用キャリッジ２０４を示し、図１２は、下降位置にあるロープ角調節用キャリッジ２０４を示す。
【００３１】
図１３および図１４は、稼働時の頸部牽引アセンブリ２００を示す。まず図１３を参照すると、ロープ角調節用キャリッジ２０４は、頭部牽引ハーネスのある取り付け位置を表すヘッドフォームブラケット２７６と実質的に整列配置が可能な下降位置で示されている。そのような配置にすることで、患者の身体と実質的に平行な平面に（たとえば、おもり２７８を用いて）引っ張り力を加えることができる。いくつかの例では、図１３に示すように、より垂直な成分を含むように実質的に水平から引っ張り角を変えるほうが望ましい場合がある。図１４を参照すると、ロープ角調節用キャリッジ２０４を上昇させる形でも、引っ張り角αを実質的に水平の引っ張り角から水平ではない引っ張り角に変えることができる。いくつかの実施形態では、引っ張り角αを、約−４５度から約７５度まで調節することが可能である。
【００３２】
上述した頸部牽引アセンブリを、マウント支持部材に接続されたＨブラケットなどの取り付け用ブラケットに直接取り付けるのではなく、マウント支持部材に直接取り付けることができる。患者に必要なことに基づいて多様な引っ張り角を達成するために、頸部牽引アセンブリのロープ角調節用キャリッジを、マウント支持部材のロープが通る開口部よりも上と下の両方に再配置することができる。頸部牽引アセンブリをマウント支持部材に着脱自在に取り付けるのに用いられる接続用ブラケットアセンブリを使用して、頸部牽引アセンブリをマウント支持部材から容易に着脱できるようにすることができる。
【００３３】
特許請求の範囲に記載した主題の意図および範囲から逸脱することなく、本明細書で説明した実施形態をさまざまに変更および改変できることは、当業者には明らかであろう。したがって、添付の特許請求の範囲およびその等価物の範囲内であれば、本明細書に記載したさまざまな実施形態を変更および改変したものも本明細書に包含することが意図される。
【図１】
2018153618.tif 000002
【図２】
2018153618.tif 000003
【図３】
2018153618.tif 000004
【図４】
2018153618.tif 000005
【図５】
2018153618.tif 000006
【図６】
2018153618.tif 000007
【図７】
2018153618.tif 000008
【図８】
2018153618.tif 000009
【図９】
2018153618.tif 000010
【図１０】
2018153618.tif 000011
【図１１】
2018153618.tif 000012
【図１２】
2018153618.tif 000013
【図１３】
2018153618.tif 000014
【図１４】
2018153618.tif 000015
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
患者支持装置と併用するための頸部牽引アセンブリであって、
接続用ブラケットアセンブリとトラック本体とを含む調整キャリッジトラック部材と、
第１のトラック係合部材と第２のトラック係合部材とを含むロープ角調節用キャリッジと、
を備え、
前記接続用ブラケットアセンブリは、前記患者支持装置のマウント支持部材に着脱自在に接続し、
前記トラック本体は、一対の互いに対向する側壁を有し、
各側壁は、その長さ方向に延びるガイドトラックを有し、
前記側壁は互いに離れて配置されてその間に細長い溝が画定され、
前記ロープ角調節用キャリッジは、前記溝内に配置され、
前記第１のトラック係合部材は、前記側壁のうち片方の前記ガイドトラックに収容され、
前記第２のトラック係合部材は、前記側壁のうち他方の前記ガイドトラックに収容され、
前記第１のトラック係合部材は、
前記ロープ角調節用キャリッジが前記溝に沿って移動するのを阻止するロック配置と、
前記ロープ角調節用キャリッジが前記溝に沿って移動できるようにするロック解除配置と、をとる、
頸部牽引アセンブリ。
【請求項２】
前記ガイドトラックのうちの一方は、第１の側と、前記第１の側に対向する第２の側とを有する第１のガイドトラックであり、前記第２の側は、前記第１のガイドトラックに幅が狭い領域と幅が広い領域を作る波形状の峰と谷を有する、請求項１に記載の頸部牽引アセンブリ。
【請求項３】
前記第１のトラック係合部材は、
本体と、
前記本体の幅を延ばす係合用突出部と、を備え、
前記第１のトラック係合部材は、ロック配置とロック解除配置との間で移動可能であり、前記ロック配置では、前記係合用突出部が、前記第１のガイドトラックの前記谷のうちの１つに収容されて、前記第１のトラック係合部材が前記第１のガイドトラックに沿って移動するのを防止し、前記ロック解除配置では、前記係合用突出部が、前記第１のガイドトラックの前記谷のうちの１つから外れて、前記第１のトラック係合部材が前記第１のガイドトラックに沿って移動できるようにする、請求項２に記載の頸部牽引アセンブリ。
【請求項４】
前記片方のガイドトラックは、第１の側と、前記第２のガイドトラックの前記第１の側に対向する第２の側とを有する第２のガイドトラックであり、前記第２のガイドトラックの前記第２の側は、前記第２のガイドトラックに幅が狭い領域と幅が広い領域を作る波形状の峰と谷を有する、請求項３に記載の頸部牽引アセンブリ。
【請求項５】
前記第２のトラック係合部材は、
本体と、
前記本体の幅を延ばす係合用突出部と、を備え、
前記第２のトラック係合部材は、ロック配置とロック解除配置との間で移動可能であり、前記ロック配置では、前記第２のトラック係合部材の前記係合用突出部が、前記第２のガイドトラックの前記谷のうちの１つに収容されて、前記第２のトラック係合部材が前記第２のガイドトラックに沿って移動するのを防止し、前記ロック解除配置では、前記第２のトラック係合部材の前記係合用突出部が、前記第２のガイドトラックの前記谷のうちの１つから外れて、前記第２のトラック係合部材が前記第２のガイドトラックに沿って移動できるようにする、請求項４に記載の頸部牽引アセンブリ。
【請求項６】
前記第１のトラック係合部材および前記第２のトラック係合部材は、それぞれがロック解除配置になるまで押し込むことが可能である、請求項５に記載の頸部牽引アセンブリ。
【請求項７】
前記第１のトラック係合部材の前記本体は、前記ロック配置にあるときに前記第１のガイドトラックの縁を前記第１のトラック係合部材と係合させる窪んだ領域を含む、請求項３に記載の頸部牽引アセンブリ。
【請求項８】
前記ロープ角調節用キャリッジは、ロープが通る開口部を有する、請求項１に記載の頸部牽引アセンブリ。
【請求項９】
請求項８に記載の頸部牽引アセンブリを含む人体支持装置であって、前記頸部牽引アセンブリの接続用ブラケットアセンブリが、前記人体支持装置の前記マウント支持部材に着脱自在に接続された状態で、前記調整キャリッジトラック部材は、前記マウント支持部材のロープが通る開口部の上下に垂直に延びている、人体支持装置。
【請求項１０】
前記接続用ブラケットアセンブリが、前記患者支持装置の前記マウント支持部材に着脱自在に接続された状態で、前記ロープ角調節用キャリッジは、前記マウント支持部材の前記ロープが通る開口部の上下で調節可能である、請求項９に記載の人体支持装置。
【外国語明細書】
2018153618000001.pdf